(57)【要約】【課題】断熱性能を向上することができる外壁フレーム、外壁パネル及び建物ユニットを得ることを目的とする。【解決手段】角柱状に形成されると共に建物上下方向を長手方向として配置され、かつ建物上下方向に直交する方向に間隔を空けて複数設けられると共に金属よりも熱伝導率の低い材質で構成された間柱１４と、間柱１４の上端部６０及び下端部６４にそれぞれ取り付けられる支持金物１６と、間柱１４の長手方向に間隔を空けて配置され、隣り合う前記間柱を連結する複数の横桟２２と、を備えた外壁フレーム１０。【選択図】図１
2015155592.tif 000002
【特許請求の範囲】
【請求項１】
角柱状に形成されると共に建物上下方向を長手方向として配置され、かつ建物上下方向に直交する方向に間隔を空けて複数設けられると共に金属よりも熱伝導率の低い材質で構成された間柱と、
前記間柱の長手方向に間隔を空けて配置され、隣り合う前記間柱を連結する複数の横フレームと、
前記間柱の上端部及び下端部にそれぞれ取り付けられた支持金物と、
を備えた外壁フレーム。
【請求項２】
前記横フレームは前記間柱の長手方向と直交する方向に延設された連結延設部材であって、当該連結延設部材によって前記間柱の上端部同士及び下端部同士がそれぞれ連結されている、
請求項１記載の外壁フレーム。
【請求項３】
請求項１又は請求項２に記載された外壁フレームと、
前記外壁フレームの外側に取り付けられた外壁面材と、
を備えた外壁パネル。
【請求項４】
建物ユニットの躯体フレームと、
前記躯体フレームの外側に前記支持金物を介して取り付けられた請求項３記載の外壁パネルと、
を備えた建物ユニット。
【請求項５】
上下に配置された前記支持金物と前記躯体フレームとの間には、前記躯体フレームへの前記支持金物の当接部以外の箇所に間隙が形成されると共に、当該間隙には断熱材が設けられている、
請求項４記載の建物ユニット。
【発明の詳細な説明】
【技術分野】
【０００１】
本発明は、外壁フレーム、外壁パネル及び建物ユニットに関する。
【背景技術】
【０００２】
下記特許文献１には、外壁パネルを建物ユニットに取り付ける構造が開示されている。この外壁パネルは、軽量溝型鋼により形成された平面視で矩形状の外壁フレームに外壁面材を接合させた構成とされており、建物ユニットの天井大梁と床大梁に外壁フレームを建物外側から当接させてボルト等により締結させることで、建物ユニットに外壁パネルが取り付けられている。
【先行技術文献】
【特許文献】
【０００３】
【特許文献１】特開２０１１−２０２４３９号公報
【発明の概要】
【発明が解決しようとする課題】
【０００４】
しかしながら、上記先行技術による場合、外壁フレームと天井大梁とが当接している範囲及び外壁フレームと床大梁とが当接している範囲は、外壁フレームにおける建物上下方向上側の短辺の略全面及び建物上下方向下側の短辺の略全面と広範囲に亘っており、接触面積が広い。このため、天井大梁と外壁フレームとの間及び床大梁と外壁フレームとの間で熱橋（ヒートブリッジ）が起こり、天井大梁と外壁フレームとの間及び床大梁と外壁フレームとの間で熱が伝導することで断熱性能が低下する可能性がある。
【０００５】
本発明は上記問題を考慮し、断熱性能を向上することができる外壁フレーム、外壁パネル及び建物ユニットを得ることを目的とする。
【課題を解決するための手段】
【０００６】
請求項１記載の発明に係る外壁フレームは、角柱状に形成されると共に建物上下方向を長手方向として配置され、かつ建物上下方向に直交する方向に間隔を空けて複数設けられると共に金属よりも熱伝導率の低い材質で構成された間柱と、前記間柱の長手方向に間隔を空けて配置され、隣り合う前記間柱を連結する複数の横フレームと、前記間柱の上端部及び下端部にそれぞれ取り付けられた支持金物と、を備えている。
【０００７】
請求項２記載の発明に係る外壁フレームは、請求項１に記載の外壁フレームにおいて、前記横フレームは前記間柱の長手方向と直交する方向に延設された連結延設部材であって、当該連結延設部材によって前記間柱の上端部同士及び下端部同士がそれぞれ連結されている。
【０００８】
請求項３記載の発明に係る外壁パネルは、請求項１又は請求項２に記載された外壁フレームと、前記外壁フレームの外側に取り付けられた外壁面材と、を備えている。
【０００９】
請求項４記載の発明に係る建物ユニットは、建物ユニットの躯体フレームと、前記躯体フレームの外側に取り付けられた請求項３記載の外壁パネルと、を備えている。
【００１０】
請求項５記載の発明に係る建物ユニットは、請求項４に記載の建物ユニットにおいて、上下に配置された前記支持金物と前記躯体フレームとの間には、前記躯体フレームへの前記支持金物の当接部以外の箇所に間隙が形成されると共に、当該間隙には断熱材が設けられている。
【００１１】
請求項１記載の本発明によれば、外壁フレームの間柱は金属よりも熱伝導率の低い材質で構成されている。したがって、間柱の上端部の支持金物と間柱の下端部の支持金物との間では、間柱を介した外壁フレームの内外の熱の伝導が抑制される。つまり、外壁フレーム自体で熱の伝導を抑制することができる。
【００１２】
請求項２記載の本発明によれば、複数の間柱が連結延設部材で連結されるため、複数の間柱及び間柱の上下端部に取り付けられた複数の支持金物を一つの外壁フレームとして一体的に取り扱うことができる。また、連結延設部材は複数の間柱の上端部同士及び下端部同士をそれぞれ連結するように間柱の上端部及び下端部に設けられているため、間柱が３本以上の複数設けられている場合、連結延設部材が間柱で遮られることなく間柱の上端部同士及び下端部同士をそれぞれ１本の連結延設部材で連結させることが可能となる。したがって、部品点数及び組み付け工数を低減することができる。
【００１３】
請求項３記載の本発明によれば、外壁パネルを構成する外壁フレームの間柱は金属よりも熱伝導率の低い材質で構成されている。したがって、間柱の上端部の支持金物と間柱の下端部の支持金物との間では、間柱を介した外壁フレームの内外の熱の伝導が抑制される。つまり、外壁パネル自体で熱の伝導を抑制することができる。また、外壁フレームに外壁面材が取り付けられた構成とされていることで、外壁フレームと外壁面材とを一体的に取り扱うことができる。
【００１４】
請求項４記載の本発明によれば、金属よりも熱伝導率の低い外壁フレームで構成された外壁パネルは、建物ユニットの躯体フレームに対して間柱の上端部及び下端部に取り付けられた支持金物を介して取り付けられている。なお、間柱は建物上下方向に直交する方向に間隔を空けて複数設けられていることから、支持金物は躯体フレームに対しいわば点状に取り付けられている。すなわち、躯体フレームと外壁パネルとの接触している範囲は、外壁パネルにおける建物上下方向上側の支持金物及び建物上下方向下側の支持金物に限定されており、接触面積が狭い。したがって、建物ユニットの室内の熱が外壁パネルを介して躯体フレームへと伝導するのを抑制することができる。同様に、躯体フレームの熱が外壁パネルを介して室内へと伝導のを抑制することができる。
【００１５】
請求項５記載の本発明によれば、支持金物は当接部を備えており、当接部と躯体フレームとが当接されることで外壁パネルは建物ユニットの躯体フレームに取り付けられている。当接部以外の箇所では、支持金物と躯体フレームとは間隙が形成されており、この間隙に断熱材が設けられている。したがって、この間隙を通じた熱の伝導を抑制することができる。その結果、建物ユニットの内外の熱の伝導を最小限に抑えることができる。
【発明の効果】
【００１６】
請求項１記載の本発明に係る外壁フレームは、断熱性能を向上させることができるという優れた効果を有する。
【００１７】
請求項２記載の本発明に係る外壁フレームは、組立作業時等における作業性を向上させることができるという優れた効果を有する。
【００１８】
請求項３記載の本発明に係る外壁パネルは、断熱性能を向上させると共に組立作業時等における作業性を向上させることができるという優れた効果を有する。
【００１９】
請求項４記載の本発明に係る建物ユニットは、室内の熱損失を抑えることができるという優れた効果を有する。
【００２０】
請求項５記載の本発明に係る建物ユニットは、室内の熱損失を一層抑えることができるという優れた効果を有する。
【図面の簡単な説明】
【００２１】
【図１】一実施形態に係る外壁フレームが建物ユニットに取り付けられている状態を概略的に示した外観斜視図である。
【図２】一実施形態に係る外壁パネルが建物ユニットに取り付けられている状態を示す拡大断面図である。
【図３】一実施形態に係る外壁フレームの立体分解図である。
【図４】一実施形態に係る外壁フレームの一部を示めす斜視図である。
【図５】建物ユニットに取り付けられた対比例に係る外壁パネルを示す立体分解図である。
【発明を実施するための形態】
【００２２】
以下、図１〜図４を用いて、本発明に係る外壁フレーム、外壁パネル及び建物ユニットの一実施形態について説明する。
【００２３】
図１には、外壁フレーム１０が建物ユニット１２の躯体フレーム１３に取り付けられた外観斜視図が示されている。躯体フレーム１３は、躯体フレーム１３の四隅に立設された柱１５と、柱１５の上端部同士を連結する長短二種類の天井大梁６８と、柱１５の下端部同士を連結する長短二種類の床大梁７０と、によって構成されている。
【００２４】
外壁フレーム１０は、間柱１４と、支持金物１６と、横フレームとしての横桟２２と、横フレームとしてのＬ型アングル材２４と、により構成されている。間柱１４は、角柱状に形成されており、かつ、間柱１４は建物上下方向を長手方向として配置されている。また、この間柱１４は、建物上下方向に直交する方向に間隔を空けて天井大梁６８及び床大梁７０に沿って複数設けられている。さらに、間柱１４は、金属より熱伝導率の低い材質で構成されており、本実施形態では木材により構成されている。
【００２５】
横桟２２は、建物上下方向に直交する方向を長手方向として、隣り合う複数の間柱１４に亘って取り付けられている。なお、本実施形態では２本の横桟２２が建物上下方向に離間して設けられているが、これに限らず、設けられる横桟２２の本数を外壁フレーム１０の大きさ等によって増減してもよい。また、本実施形態では、横桟２２の材質は間柱１４と同様に木材により構成されている。この結果、外壁フレーム１０は、主に木材で構成された間柱１４と間柱１４と同様に木材で構成された横桟２２とで格子状に組まれた構成とされている。
【００２６】
支持金物１６は、外壁フレーム１０における建物上下方向に直交する方向の端部に位置する間柱１４の上端部６０及び下端部６４に取り付けられる端部支持金物１８と、それ以外の間柱１４の上端部６０及び下端部６４に取り付けられる中間部支持金物２０とにより構成されている。
【００２７】
図３に示されるように、中間部支持金物２０は、建物上下方向上側に位置する取付部２６と、取付部２６の下方に設けられる延出部２８によって構成されている。この取付部２６は、略箱状かつこの略箱形状における建物上下方向上側に位置する上面及び建物ユニット１２側に設けられる当接部としての側面３０と対向する位置の側面が取り除かれた形状に形成されている。
【００２８】
延出部２８は、取付部２６の建物上下方向下側に位置する下面３２から建物上下方向に沿って下側に延出されている。この延出部２８は、側面３８と、側面３８の建物外側の縁部５０から側面３８に対し直交する方向に延出された外側面４０と、外側面４０の縁部５２から外側面４０に対し直交する方向に延出されると共に、側面３８と対向する位置に設けられる側面５４とで断面が略Ｕ字状に形成されており、断面略Ｕ字状の開口が建物内側に向けられるように設けられている。
【００２９】
延出部２８の建物上下方向下側には、側面３８及び側面５４が下方に延出された間柱挟持部５６が設けられている。間柱挟持部５６の側面３８と側面５４との間の間隙の寸法は、外側面４０の幅寸法と略同一であると共に、間柱１４の板厚の寸法と略同一に設定されている。さらに、間柱挟持部５６の側面３８と側面５４とには、板厚方向に貫通された締結用穴５８が建物上下方向に沿って複数並んで設けられている。そして、中間部支持金物２０の間柱挟持部５６に間柱１４の建物外側に位置する外側側面３６と延出部２８の外側面４０とが略同一面上に位置するように間柱１４の上端部６０が挿入されている。この状態で、複数のビス６２を締結用穴５８内に挿入し締結することによって中間部支持金物２０は間柱１４の上端部６０に固定される。なお、中間部支持金物２０は、上端部６０と同様に間柱１４の下端部６４にも取り付けられた構成とされており、下端部６４における中間部支持金物２０の方向は、上端部６０における中間部支持金物２０が建物上下方向に直交する面で対称の方向とされている（図１参照）。
【００３０】
中間部支持金物２０の取付部２６の側面３０には、板厚方向に貫通されたボルト締結穴６６が設けられている。このボルト締結穴６６は、建物ユニット１２の天井大梁６８及び床大梁７０の建物外側面４２にあらかじめ設けられている板厚方向に貫通された支持金物固定穴７２と同一軸上の位置に設けられている。これにより、中間部支持金物２０のボルト締結穴６６と建物ユニット１２の支持金物固定穴７２とにボルト７４を挿通させて図示しないナットで締結することで、中間部支持金物２０は建物ユニット１２の天井大梁６８及び床大梁７０に取り付けられる。
【００３１】
間柱１４の上端部６０の端部面７６には、連結延設部材としてのＬ型アングル材２４が取り付けられている。このＬ型アングル材２４は、建物上下方向に沿って立設されたアングル材側面３４とアングル材側面３４の下縁７８からアングル材側面３４に対し直交する方向に延出されたアングル材底面８０とで断面がＬ字型に形成されている。また、間柱１４の長手方向と直交する方向に延設されている。
【００３２】
Ｌ型アングル材２４は、Ｌ型アングル材２４の断面内側が建物内側方向へと向けられると共に、アングル材底面８０の建物上下方向下側に設けられる断面外側面４６と間柱１４の端部面７６とが当接し、かつ、アングル材底面８０に設けられた板厚方向に貫通されたビス締結穴７７にビス６２を挿通させて締め付けることで、間柱１４へ取り付けられている。
【００３３】
また、Ｌ型アングル材２４は、建物上下方向に直交する方向に間隔を空けて天井大梁６８及び床大梁７０に沿って複数設けられている他の間柱１４にも前述と同様の構成で取り付けられている。さらに、間柱１４の下端部６４には、上端部６０と同様の構成でＬ型アングル材２４が取り付けられている（図１参照）。したがって、複数の間柱１４の上端部６０同士及び下端部６４同士はそれぞれＬ型アングル材２４を介して連結されている。
【００３４】
図４に示されるように、端部支持金物１８は、取付部８２と、取付部８２の下方に設けられる延出部２８とで構成されている。この取付部８２は、図３で示される中間部支持金物２０の取付部２６を側面３８に沿った面で切断し、延出部２８が取り付けられていない側の取付部を取り除いたような形状に形成されている。つまり、側面３８から延出部２８が取り付けられていない側に取付部８２が突出しないように設定されている。したがって、外壁フレーム１０の建物上下方向に直交する方向での端部に、同様の構成とされた外壁フレーム１０を接合させることが可能となる。これによって、建物ユニット１２の天井大梁６８及び床大梁７０の建物外側面４２に複数の外壁フレーム１０ひいては後述する外壁パネル８４を取り付けることができるので、建物ユニット１２へ容易に外壁を設けることができる。
【００３５】
また、端部支持金物１８の取付部８２には、中間部支持金物２０と同様に延出部２８が設けられている。これにより、端部支持金物１８は、外壁フレーム１０における建物上下方向に直交する方向での端部に位置する間柱１４の上端部６０に取り付けられる。なお、端部支持金物１８は、上端部６０と同様に間柱１４の下端部６４にも取り付けられた構成とされている。
【００３６】
図２に示されるように、外壁パネル８４は、外壁フレーム１０と、外壁フレーム１０の建物外側に設けられている外壁面材８６により構成されている。この外壁面材８６は、図示しない通気胴縁を介して接着剤及びタッピングビス等により外壁フレーム１０に取り付けられており、通気胴縁と接合されている箇所以外では外壁フレーム１０と間隙を有している。
【００３７】
間柱１４の上端部６０に取り付けられたＬ型アングル材２４は、アングル材側面３４の建物内側面４４が建物ユニット１２の天井大梁６８の建物外側面４２と接すると共に、アングル材底面８０の建物上下方向の上側に設けられる断面内側面４８が天井板８８と間隙を有して設けられている。また、間柱１４の下端部６４に取り付けられたＬ型アングル材２４は、アングル材側面３４の建物内側面４４が建物ユニット１２の床大梁７０の建物外側面４２と接すると共に、アングル材底面８０の断面内側面４８が床板９０と接する位置に設けられている。
【００３８】
支持金物１６の延出部２８と天井大梁６８の建物外側面４２及び床大梁７０の建物外側面４２との間には、間隙９２が設けられている。この間隙９２内には、断熱材９４が設けられている。
【００３９】
（作用・効果）
次に、本実施形態の作用並びに効果を説明する。
【００４０】
ここで、図５に示される対比例を用いながら、本実施形態の作用並びに効果を説明することにする。なお、本実施形態と同一構成部分については同一番号を付してその説明を省略する。
【００４１】
図５に示されるように、建物ユニット１００には、外壁フレーム１０２及び外壁面材８６により構成された平面視で略矩形状の外壁パネル１０４が建物ユニット１００の外側から取り付けられている。
【００４２】
外壁フレーム１０２は、建物上下方向の上側に設けられる上部取付部１０６と、建物上下方向の下側に設けられる下部取付部１０８と、建物上下方向を長手方向として配置されると共に上部取付部１０６の端部と下部取付部１０８の端部とを連結するフレーム側面１１０とで構成されている。この上部取付部１０６と、下部取付部１０８と、フレーム側面１１０とは、軽量溝形鋼で一体的に構成されている。また、外壁フレーム１０２の内側には、建物上下方向に直交する方向を長手方向として配置されると共に、長手方向の両端部がフレーム側面１１０に接合された横桟１１２が設けられている。この横桟１１２は、建物上下方向に離間されて２本設けられている。
【００４３】
フレーム側面１１０には、建物上下方向に沿って複数のボルト締結穴１２０が設けられている。したがって、複数の外壁フレーム１０２のフレーム側面１１０同士を当接させ、ボルト締結穴１２０にボルト７４を挿通させて締結することで、複数の外壁フレーム１０２が連結される。
【００４４】
上部取付部１０６は、建物ユニット１００の天井大梁６８の建物外側面４２と当接する当接面１１４を有しており、この当接面１１４には、板厚方向に貫通されたボルト締結穴１１６が設けられている。このボルト締結穴１１６は、建物ユニット１００の天井大梁６８の建物外側面４２にあらかじめ設けられている板厚方向に貫通された支持金物固定穴７２と同一軸上の位置に設けられている。
【００４５】
下部取付部１０８は、上部取付部１０６と同様の構成とされている、すなわち、建物ユニット１００における床大梁７０の建物外側面４２と当接する当接面１１４を有しており、この当接面１１４には、板厚方向に貫通されたボルト締結穴１１６が設けられている。このボルト締結穴１１６は、建物ユニット１００の床大梁の建物外側面４２にあらかじめ設けられている板厚方向に貫通された支持金物固定穴７２と同一軸上の位置に設けられている。
【００４６】
外壁フレーム１０２の建物外側には、外壁面材８６が通気胴縁１１８を介して接着剤及びタッピングビス等により外壁フレーム１０２に取り付けられている。この外壁面材８６は、通気胴縁１１８と接合されている箇所以外では外壁フレーム１０２と間隙を有している。
【００４７】
外壁パネル１０４を建物ユニット１００に取り付ける際には、外壁フレーム１０２の上部取付部１０６及び下部取付部１０８のボルト締結穴１１６と、建物ユニット１００の支持金物固定穴７２とにボルト７４を挿通させて図示しないナットで締結することで建物ユニット１００の建物外側に取り付けられる。外壁フレーム１０２が建物ユニット１００に取り付けられると、上部取付部１０６の当接面１１４及び下部取付部１０８の当接面１１４は、当接面１１４の略全面に亘って建物ユニット１００の天井大梁６８及び床大梁７０と当接される。したがって、建物ユニット１００の天井大梁６８及び床大梁７０と上部取付部１０６及び下部取付部１０８とは、当接面１１４を介して熱が伝導し易くなる。また、上部取付部１０６と下部取付部１０８とは、フレーム側面１１０と一体的に構成されていることから、上部取付部１０６及び下部取付部１０８の熱はフレーム側面１１０へと伝導し易くなる。これにより、建物ユニット１００の断熱性能を向上させることができない。
【００４８】
すなわち、建物ユニット１００と外壁フレーム１０２との間では、熱橋が起こり熱が伝導し易い構成とされている。したがって、外壁パネル１０４で外壁が構成されたユニット住宅では、一例として、冬季のように外気温が比較的低く、室内では暖房を作動させている場合、室内の熱が外壁フレーム１０２に伝えられると、外壁フレーム１０２のフレーム側面１１０を通じて上部取付部１０６及び下部取付部１０８へと伝わり、建物ユニット１００の天井大梁６８及び床大梁７０に伝えられ、熱が屋外へ放出される。つまり、ユニット住宅の室内温度が低下するため、暖房の運転効率が低下する。一方、夏季のように外気温が比較的高く、室内では冷房を作動させている場合、外気の熱や太陽光からの熱が屋根等を通じて建物ユニット１００の天井大梁６８に伝えられる。この熱は、天井大梁６８と当接されている外壁フレーム１０２の上部取付部１０６を通じてフレーム側面１１０へと伝わり、建物ユニット１００内へと伝えられる。つまり、ユニット住宅の室内へと熱が伝導することで、実内温度が上昇するため、冷房の運転効率が低下する。
【００４９】
これに対し、図１に示されるように、本発明によれば、外壁フレーム１０の間柱１４は金属よりも熱伝導率の低い材質で構成されている。したがって、間柱１４の上端部６０の支持金物１６と間柱１４の下端部６４の支持金物１６との間では、間柱１４を介した外壁フレーム１０の内外の熱の伝導が抑制される。つまり、外壁フレーム１０自体で熱の伝導を抑制することができる。これにより、断熱性能を向上させることができる。
【００５０】
また、複数の間柱１４がＬ型アングル材２４で連結されるため、複数の間柱１４及び間柱１４の上端部６０及び下端部６４に取り付けられた複数の支持金物１６を一つの外壁フレーム１０として一体的に取り扱うことができる。すなわち、一つの外壁フレーム１０として複数の間柱１４を建物ユニット１２へ同時に取り付けることができるため、複数の間柱１４をそれぞれ建物ユニット１２へと取り付ける場合と比較し、組立工程を大幅に短縮させることが可能となる。また、Ｌ型アングル材２４は複数の間柱１４の上端部６０同士及び下端部６４同士をそれぞれ連結するように間柱１４の上端部６０及び下端部６４に設けられている。このため、間柱１４が３本以上の複数設けられている場合、Ｌ型アングル材２４が中間の間柱１４と交差しない。つまり、Ｌ型アングル材２４は間柱１４に遮られることなく、間柱１４の上端部６０同士及び下端部６４同士をそれぞれ１本のＬ型アングル材２４で連結させることが可能となる。したがって、Ｌ型アングル材２４を分割したり、間柱１４にＬ型アングル材２４を連通させるための加工が不要となることから、部品点数及び組み付け工数を低減することができる。これにより、組立作業時等における作業性を向上させることができる。
【００５１】
さらに、外壁パネル８４を構成する外壁フレーム１０の間柱１４は金属よりも熱伝導率の低い材質で構成されている。したがって、間柱１４の上端部６０の支持金物１６と間柱１４の下端部６４の支持金物１６との間では、間柱１４を介した外壁フレーム１０の内外の熱の伝導が抑制される。つまり、外壁パネル８４自体で熱の伝導を抑制することができる。また、外壁フレーム１０に外壁面材８６が取り付けられた構成とされていることで、外壁フレーム１０と外壁面材８６とを一体的に取り扱うことができる。これにより、外壁パネル８４は断熱性能を向上させると共に組立作業時等における作業性を向上させることができる。
【００５２】
さらにまた、金属よりも熱伝導率の低い外壁フレーム１０で構成された外壁パネル８４は、建物ユニット１２の躯体フレーム１３に対して間柱１４の上端部６０及び下端部６４に取り付けられた支持金物１６を介して取り付けられている。なお、間柱１４は建物上下方向に直交する方向に間隔を空けて複数設けられていることから、支持金物１６は躯体フレーム１３に対しいわば点状に取り付けられている。すなわち、躯体フレーム１３と外壁パネル８４との接触している範囲は、外壁パネル８４における建物上下方向上側の支持金物１６及び建物上下方向下側の支持金物１６に限定されており、接触面積が狭い。したがって、建物ユニット１２の室内の熱が外壁パネル８４を介して躯体フレーム１３へと伝導するのを抑制することができる。同様に、躯体フレーム１３の熱が外壁パネル８４を介して室内へと伝導するのを抑制することができる。これにより、建物ユニット１２の室内の熱損失を抑えることができる。
【００５３】
また、支持金物１６は、側面３０を備えており、側面３０と躯体フレーム１３の天井大梁６８及び床大梁７０とが当接されることで外壁パネル８４は支持金物１６を介して建物ユニット１２の躯体フレーム１３に取り付けられている。側面３０以外の箇所では、支持金物１６と躯体フレーム１３とは間隙９２が形成されており、この間隙９２に断熱材９４が設けられている。したがって、この間隙９２を通じた熱の伝導を抑制することができる。その結果、建物ユニット１２の内外の熱の伝導を最小限に抑えることができる。これにより、建物ユニット１２の室内の熱損失を一層抑えることができる。
【００５４】
なお、本実施形態では、間柱１４及び横桟２２は、木材で構成されているが、これに限らず、強化樹脂等といった熱伝導率の低い材質で構成されていてもよい。また、支持金物１６は金属製とされているが、これに限らず、前述と同様に強化樹脂等といった熱伝導率の低い材質で構成されていてもよい。
【００５５】
また、支持金物１６と建物ユニット１２の天井大梁６８及び床大梁７０とは、直接当接する構成とされているが、これに限らず、熱伝導率の低い材質で作成したワッシャを介して取り付ける等、熱伝導率の低い材質を支持金物１６と天井大梁６８及び床大梁７０との間に介して取り付けられる構成としても良い。
【００５６】
以上、本発明の実施形態について説明したが、本発明は、上記に限定されるものでなく、その主旨を逸脱しない範囲内において上記以外にも種々変形して実施することが可能であることは勿論である。
【符号の説明】
【００５７】
１０   外壁フレーム
１２   建物ユニット
１４   間柱
１６   支持金物
２２   横桟（横フレーム）
２４   Ｌ型アングル材（横フレーム、連結延設部材）
３０   側面（当接部）
６０   上端部
６４   下端部
８４   外壁パネル
８６   外壁面材
９２   間隙
９４   断熱材
【図３】
2015155592.tif 000003
【図４】
2015155592.tif 000004
【図５】
2015155592.tif 000005
【図１】
2015155592.tif 000006
【図２】
2015155592.tif 000007